(57)【要約】【課題】フレキシブル印刷配線基板が差し込まれるハウジングとコンタクトとアクチュエータとを備えたコネクタ装置であって、コンタクトがコネクタ装置の低背化及び製造コストの低減を妨げる要因とはならない形状をもって備えられるものを提供する。【解決手段】コンタクト（１７）が接点部（２２）が設けられた棒状部材を成すものとされ、ハウジング（１１）が可動部（３０）を有し、その可動部が、アクチュエータ（４０）の第１の静止位置から第２の静止位置への回動に応じてコンタクトに近付く方向に移動して、コンタクトの接点部（２２）がフレキシブル印刷配線基板（１３）の接続端子部に接触する状態を生じさせるとともに、アクチュエータの第２の静止位置から第１の静止位置への回動に応じてコンタクトから遠ざかる方向に移動して、コンタクトの接点部が接続端子部との接触を解除し得る状態を生じさせる。【選択図】図１５
2013229148.tif 000002
【特許請求の範囲】
【請求項１】
板状部材差込み部が設けられたハウジングと、
該ハウジング内に配列配置され、配線板状部材が上記板状部材差込み部を通じて上記ハウジングに差し込まれたとき、差し込まれた上記配線板状部材に配列配置された複数の接続端子部に夫々対応する位置をとるものとされる複数のコンタクトと、
上記ハウジングに対して回動可能に設けられ、第１の静止位置と第２の静止位置とを選択的にとるべく回動せしめられるアクチュエータと、
を備えて成り、
上記複数のコンタクトの夫々が、上記ハウジングに係合する係合部と、上記ハウジングの外部に導出される外部接続部と、上記複数の接続端子部のうちの対応するものに接触する接点部と、が設けられた棒状部材を成すものとされ、
上記ハウジングが、上記複数のコンタクトに対向する位置に配された可動部を有し、該可動部が、上記アクチュエータに係合して、該アクチュエータの上記第１の静止位置から上記第２の静止位置への回動に応じて上記複数のコンタクトに近付く方向に移動し、配線板状部材が上記板状部材差込み部を通じて上記ハウジングに差し込まれたもとにおいては、上記コンタクトに設けられた上記接点部が上記複数の接続端子部のうちの対応するものに接触する状態を生じさせるとともに、上記アクチュエータの上記第２の静止位置から上記第１の静止位置への回動に応じて上記複数のコンタクトから遠ざかる方向に移動し、配線板状部材が上記板状部材差込み部を通じて上記ハウジングに差し込まれたもとにおいては、上記コンタクトに設けられた上記接点部が上記複数の接続端子部のうちの対応するものとの接触を解除し得る状態を生じさせることを特徴とするコネクタ装置。
【請求項２】
上記ハウジングが有する可動部が、配線板状部材が上記板状部材差込み部を通じて上記ハウジングに差し込まれたもとで上記複数のコンタクトに近付く方向に移動するとき、上記ハウジングに差し込まれた配線板状部材を上記複数のコンタクトに向けて押圧するとともに、配線板状部材が上記板状部材差込み部を通じて上記ハウジングに差し込まれたもとで上記複数のコンタクトから遠ざかる方向に移動するとき、上記ハウジングに差し込まれた配線板状部材を上記複数のコンタクトに向けての押圧から解放することを特徴とする請求項１記載のコネクタ装置。
【請求項３】
上記ハウジングが有する上記可動部が、上記板状部材差込み部を通じて上記ハウジングに差し込まれた配線板状部材に当接する状態をとる押圧部分と上記アクチュエータに係合する作動部分とが設けられたものとされ、上記アクチュエータが、上記可動部に設けられた作動部分に当接するカム部を備え、該カム部の作用により、上記可動部に、上記板状部材差込み部を通じて上記ハウジングに差し込まれた配線板状部材を上記押圧部分により上記複数のコンタクトに向けて押圧する状態をとらせることを特徴とする請求項１記載のコネクタ装置。
【請求項４】
上記ハウジングが有する上記可動部に設けられた作動部分が、上記複数のコンタクトに夫々対向する位置に配された複数の突出部を形成し、上記アクチュエータが備えるカム部が、上記複数の突出部に夫々当接する複数のカムを形成することを特徴とする請求項３記載のコネクタ装置。
【請求項５】
上記ハウジングが、上記複数のコンタクトが配列配置されて取り付けられた平板状部を有しており、上記可動部が、上記平板状部に連結部を介して連結され、該平板状部に対向する位置において上記連結部を支点部として揺動可能に支持されていることを特徴とする請求項１記載のコネクタ装置。
【請求項６】
上記ハウジングにおいて上記可動部を上記平板状部に連結する連結部が、上記複数のコンタクトの配列方向に沿って複数個配列されていることを特徴とする請求項５記載のコネクタ装置。
【発明の詳細な説明】
【技術分野】
【０００１】
本願の特許請求の範囲に記載された発明は、フレキシブル印刷配線基板（ＦＰＣ）やフレキシブルフラットケーブル（ＦＦＣ）等の配線板状部材に設けられた接続端子部を、主印刷配線基板等とされる他の電気部品に電気的に接続された状態とするためのコネクタ装置に関する。
【背景技術】
【０００２】
携帯電話機等の電子機器に実装される、比較的小型なフレキシブル印刷配線基板は、各種の電気部品が取り付けられる主印刷配線基板への取付けが、当該主印刷配線基板に電気的接続がなされて固着されたコネクタ装置が用いられて行われるものとされることが多い。斯かるコネクタ装置は、フレキシブル印刷配線基板に設けられた接続端子部に接触する導電性のコンタクトを有していて、そのコンタクトを介して、フレキシブル印刷配線基板に設けられた接続端子部を主印刷配線基板に設けられた印刷配線部に電気的に接続する。
【０００３】
従来提案されているフレキシブル印刷配線基板の主印刷配線基板への取付けに用いられるコネクタ装置は、例えば、絶縁材料をもって形成されて、フレキシブル印刷配線基板が差し込まれる差込み部が設けられたハウジングを有したものとされる。そして、そのハウジング内に配列配置されて設けられ、フレキシブル印刷配線基板が差込み部を通じてハウジングに差し込まれたとき、そのフレキシブル印刷配線基板に設けられた複数の接続端子部に夫々対応するものとなる複数のコンタクトと、ハウジングに対して回動可能に設けられ、複数のコンタクトの夫々に係合して、回動せしめられるとき複数のコンタクトの夫々における作動部を変位させる、複数のコンタクトに共通のアクチュエータ（回動操作部）とが備えられる。
【０００４】
複数のコンタクトの各々は、導電性の弾性材料で形成され、例えば、ハウジングに固定される部分である固定部と固定部に対して変位可能とされる可動部とを有するものされる。斯かるコンタクトにあっては、固定部は、主印刷配線基板に設けられた印刷配線部に電気的に接続され、また、可動部は、例えば、アクチュエータの回動に伴って変位せしめられる作動部を構成する。
【０００５】
このようなコネクタ装置にあっては、ハウジングに差込み部を通じてフレキシブル印刷配線基板が差し込まれたもとで、アクチュエータが所定の方向に回動せしめられると、アクチュエータが、複数のコンタクトの夫々における作動部を変位させて、当該作動部にフレキシブル印刷配線基板に設けられた複数の接続端子部のうちの対応するものに対する押圧接触状態をとらせる。また、複数のコンタクトの各々における作動部がフレキシブル印刷配線基板に設けられた複数の接続端子部に夫々押圧接触する状態をとるもとで、アクチュエータが上述の所定の方向とは逆の方向に回動せしめられると、アクチュエータが、複数のコンタクトの夫々における作動部を変位させて、当該作動部にフレキシブル印刷配線基板に設けられた複数の接続端子部のうちの対応するものに対する押圧接触から解放される状態をとらせる（例えば、特許文献１参照。）。
【０００６】
特許文献１に示されるコネクタ装置においては、複数のコンタクトの夫々が、全体が「Ｈ」字状の板状部材とされている。斯かる「Ｈ」字状の板状部材においては、連結部によって相互連結された一対のビーム部のうちの一方が固定部とされ、他方が作動部とされる。フレキシブル印刷配線基板が差込み部を通じてハウジングに差し込まれるときには、フレキシブル印刷配線基板における複数の接続端子部が設けられた部分が、複数のコンタクトの夫々における固定部と作動部との間に配される。そして、アクチュエータが回動せしめられて、複数のコンタクトの夫々における作動部を変位させ、当該作動部にフレキシブル印刷配線基板に設けられた複数の接続端子部のうちの対応するものに対する押圧接触状態をとらせる際には、複数のコンタクトの夫々において、作動部が、固定部とでフレキシブル印刷配線基板における複数の接続端子部が設けられた部分を挟持するようにして、複数の接続端子部のうちの対応するものに対する押圧接触状態をとるものとされ、それにより、複数のコンタクトがフレキシブル印刷配線基板に設けられた複数の接続端子部に夫々接続される。
【０００７】
なお、特許文献１に示されるコネクタ装置においては、複数のコンタクトが、各々がフレキシブル印刷配線基板に設けられた複数の接続端子部のうちの対応するものに対して押圧接触する位置の複数の接続端子部の夫々の端部からの距離を、互いに異ならせるものとなる二つのグループに区分けされていて、二つのグループの一方に所属するコンタクトと二つのグループの他方に所属するコンタクトとが交互に配列配置されたものとされている。
【先行技術文献】
【特許文献】
【０００８】
【特許文献１】特開２００４−３４２４２６号公報（第４，５頁、図３〜図７図）
【発明の概要】
【発明が解決しようとする課題】
【０００９】
上述のようなフレキシブル印刷配線基板の主印刷配線基板への取付けに用いられる従来のコネクタ装置においては、ハウジング内に配列配置されて設けられて、フレキシブル印刷配線基板が差込み部を通じてハウジングに差し込まれたとき、そのフレキシブル印刷配線基板に設けられた複数の接続端子部に夫々対応するものとなる複数のコンタクトの夫々が、一対のビーム部が連結部を介して相互連結されて構成される、全体として「Ｈ」字状を成す板状部材とされていて、一対のビーム部のうちの一方が固定部とされるとともに他方が変位可能な作動部とされる。そして、フレキシブル印刷配線基板が差込み部を通じてハウジングに差し込まれたときには、フレキシブル印刷配線基板における複数の接続端子部が設けられた部分が、複数のコンタクトの夫々における一対のビーム部間に配される。
【００１０】
このような、全体として「Ｈ」字状を成す板状部材とされるコンタクトにあっては、その機械的強度を考慮すると、一対のビーム部が差込み部を通じてハウジングに差し込まれたフレキシブル印刷配線基板を挟むべく相互対向する方向における寸法を、十分に低減させることが困難とされる。そして、「Ｈ」字状を成す板状部材とされるコンタクトにおける一対のビーム部が相互対向する方向は、斯かるコンタクトを備えたコネクタ装置が主印刷配線基板に固着された際において当該コネクタ装置が主印刷配線基板から突出する方向、即ち、主印刷配線基板に固着されたコネクタ装置の厚み方向となるので、コンタクトの一対のビーム部が相互対向する方向における寸法を十分に低減させることが困難とされることは、コネクタ装置の厚み方向の寸法の低減、換言すれば、コネクタ装置の低背化を十分に図ることが困難とされることになってしまうという不都合をもたらす。
【００１１】
また、板状部材とされる複数のコンタクトの夫々は、例えば、金属薄板材料に打抜き加工が施され、その後、打抜き加工により得られたものに対するメッキ処理が施されて製造されるが、コンタクトが「Ｈ」字状を成す板状部材とされる場合には、その打抜き加工に要される金属薄板材料の面積が比較的大とされることになり、さらに、打抜き加工により得られたものに対するメッキ処理に要される費用が嵩むことになる。これらのことは、コネクタ装置の製造コストの低減を妨げる要因となってしまう。
【００１２】
斯かる点に鑑み、本願の特許請求の範囲に記載された発明は、例えば、フレキシブル印刷配線基板等の配線板状部材の配線基板への取付けに用いられる、板状部材差込み部が設けられたハウジングと、そのハウジング内に配列配置されて設けられる複数のコンタクトと、ハウジングに対して回動可能に設けられて複数のコンタクトの夫々に係合し、配線板状部材が板状部材差込み部を通じてハウジングに差し込まれたもとで回動操作されるとき、複数のコンタクトに配線板状部材に設けられた複数の接続端子部との接続状態をとらせるアクチュエータとを備えたコネクタ装置であって、複数のコンタクトの夫々が、コネクタ装置の低背化及び製造コストの低減を妨げる要因とはならない形状をもって備えられるもとで、複数のコンタクトが配線板状部材に設けられた複数の接続端子部に夫々適正に接続される状態が確実に得られるものを提供する。
【課題を解決するための手段】
【００１３】
本願の特許請求の範囲における請求項１から請求項６までのいずれかに記載された発明（以下、本発明という。）に係るコネクタ装置は、板状部材差込み部が設けられたハウジングと、ハウジング内に配列配置され、配線板状部材が板部材差込み部を通じてハウジングに差し込まれたとき、差し込まれた配線板状部材に配列配置された複数の接続端子部に夫々対応する位置をとるものとされる複数のコンタクトと、ハウジングに対して回動可能に設けられ、第１の静止位置と第２の静止位置とを選択的にとるべく回動せしめられるアクチュエータとを備えて成り、複数のコンタクトの夫々が、ハウジングに係合する係合部とハウジングの外部に導出される外部接続部と配線板状部材に配列配置された複数の接続端子部のうちの対応するものに接触する接点部とが設けられた棒状部材を成すものとされ、また、ハウジングが、複数のコンタクトに対向する位置に配された可動部を有し、その可動部が、アクチュエータに係合して、アクチュエータの第１の静止位置から第２の静止位置への回動に応じて複数のコンタクトに近付く方向に移動し、配線板状部材が板状部材差込み部を通じてハウジングに差し込まれたもとにおいては、コンタクトに設けられた接点部が配線板状部材に配列配置された複数の接続端子部のうちの対応するものに接触する状態を生じさせるとともに、アクチュエータの第２の静止位置から第１の静止位置への回動に応じて複数のコンタクトから遠ざかる方向に移動し、配線板状部材が板状部材差込み部を通じてハウジングに差し込まれたもとにおいては、コンタクトに設けられた接点部が配線板状部材に配列配置された複数の接続端子部のうちの対応するものとの接触を解除し得る状態を生じさせることを特徴とするものとされる。
【００１４】
特に、本願の特許請求の範囲における請求項２に記載された発明に係るコネクタ装置にあっては、ハウジングが有する可動部が、配線板状部材が板状部材差込み部を通じてハウジングに差し込まれたもとで複数のコンタクトに近付く方向に移動するとき、ハウジングに差し込まれた配線板状部材を複数のコンタクトに向けて押圧するとともに、配線板状部材が板状部材差込み部を通じてハウジングに差し込まれたもとで複数のコンタクトから遠ざかる方向に移動するとき、ハウジングに差し込まれた配線板状部材を複数のコンタクトに向けての押圧から解放するものとされる。
【００１５】
上述のように構成される本発明に係るコネクタ装置にあっては、ハウジング内において配列配置された複数のコンタクトの夫々が、ハウジングに係合する係合部とハウジングの外部に導出される外部接続部と配線板状部材に配列配置された複数の接続端子部のうちの対応するものに接触する接点部とが設けられた棒状部材を成すものとされるとともに、ハウジングが、複数のコンタクトに対向する位置に配された可動部を有するものとされる。そして、ハウジングに対して回動可能に設けられたアクチュエータが第１の静止位置から第２の静止位置へと移行せしめられるべく回動操作されると、第１の静止位置から第２の静止位置へと移行するアクチュエータによって、ハウジングが有する可動部が、複数のコンタクトに近付く方向に移動せしめられ、それにより、配線板状部材が板状部材差込み部を通じてハウジングに差し込まれたもとにあっては、コンタクトに設けられた接点部が配線板状部材に配列配置された複数の接続端子部のうちの対応するものに接触する状態が得られる。また、アクチュエータが第２の静止位置から第１の静止位置へと移行せしめられるべく回動操作されると、第２の静止位置から第１の静止位置へと移行するアクチュエータによって、ハウジングが有する可動部が、複数のコンタクトから遠ざかる方向に移動せしめられ、それにより、配線板状部材が板状部材差込み部を通じてハウジングに差し込まれたもとにあっては、コンタクトに設けられた接点部が配線板状部材に配列配置された複数の接続端子部のうちの対応するものとの接触を解除し得る状態が得られる。
【００１６】
そして、本願の特許請求の範囲における請求項２に記載された発明に係るコネクタ装置の場合のように、ハウジングに板状部材差込み部を通じて、例えば、フレキシブル印刷配線基板とされる配線板状部材が差し込まれたもとで、アクチュエータによってハウジングが有する可動部が複数のコンタクトに近付く方向に移動せしめられると、その可動部によって、ハウジングに差し込まれた配線板状部材が複数のコンタクトに向けて押圧され、また、アクチュエータによってハウジングが有する可動部が複数のコンタクトから遠ざかる方向に移動せしめられると、その可動部によって、ハウジングに差し込まれた配線板状部材が複数のコンタクトに向けての押圧から解放される。
【００１７】
このようなもとで、ハウジングに板状部材差込み部を通じて配線板状部材が差し込まれたもとで、アクチュエータによってハウジングが有する可動部が複数のコンタクトに近付く方向に移動せしめられるときには、ハウジングに差し込まれた配線板状部材が、ハウジングが有する可動部によって複数のコンタクトに向けて押圧され、各々が棒状部材を成す複数のコンタクトの夫々に設けられた接点部が、配線板状部材に配列配置された複数の接続端子部のうちの対応するものに押圧接触して、複数のコンタクトが、配線板状部材に配列配置された複数の接続端子部に夫々接続された状態がとられる。また、ハウジングに板状部材差込み部を通じて配線板状部材が差し込まれたもとで、アクチュエータによってハウジングが有する可動部が複数のコンタクトから遠ざかる方向に移動せしめられるときには、ハウジングに差し込まれた配線板状部材が、ハウジングが有する可動部によって複数のコンタクトに向けての押圧から解放され、各々が棒状部材を成す複数のコンタクトの夫々に設けられた接点部が、配線板状部材に配列配置された複数の接続端子部のうちの対応するものに対する押圧接触から解放されて、複数のコンタクトが、配線板状部材に配列配置された複数の接続端子部に夫々接続された状態から解放され得るものとされる。
【発明の効果】
【００１８】
上述のような本発明に係るコネクタ装置においては、ハウジングが、ハウジング内に配列配置された複数のコンタクトに対向する位置に配された可動部を有していて、ハウジングに板状部材差込み部を通じて配線板状部材が差し込まれたもとで、第１の静止位置から第２の静止位置へと回動するアクチュエータによってハウジングが有する可動部が複数のコンタクトに近付く方向に移動せしめられるとき、ハウジングに差し込まれた配線板状部材が、ハウジングが有する可動部によって複数のコンタクトに向けて押圧され、それにより、複数のコンタクトの夫々に設けられた接点部が、配線板状部材に配列配置された複数の接続端子部のうちの対応するものに押圧接触するものとされるので、複数のコンタクトが配線板状部材に設けられた複数の接続端子部に夫々適正に接続される状態が確実に得られる。
【００１９】
しかも、ハウジング内に配列配置された複数のコンタクトの各々は、ハウジングに係合する係合部とハウジングの外部に導出される外部接続部と配線板状部材に配列配置された複数の接続端子部のうちの対応するものに接触する接点部とが設けられた棒状部材を成しているので、ハウジングが有する可動部に対向する方向における寸法が比較的小なるものとされている。各コンタクトがハウジングが有する可動部に対向する方向は、斯かるコンタクトを備えたコネクタ装置が、例えば、配線基板に固着された場合において当該コネクタ装置が配線基板から突出する方向、即ち、配線基板に固着されたコネクタ装置の厚み方向となる。従って、各コンタクトが、ハウジングが有する可動部に対向する方向における寸法が比較的小なるものとされていることは、コネクタ装置の厚み方向の寸法の低減、換言すれば、コネクタ装置の低背化を十分に図ることができる。
【００２０】
また、ハウジングが有する可動部に対向する方向における寸法が比較的小なるものとされたコンタクトは、例えば、金属薄板材料に打抜き加工が施され、その後、打抜き加工により得られたものに対するメッキ処理が施されて製造されるにあたり、その打抜き加工に要される金属薄板材料の面積が比較的小で済むことになり、さらに、打抜き加工により得られたものに対するメッキ処理に要される費用が低減されて、コネクタ装置の製造コストの低減が図られる。
【００２１】
従って、本発明によれば、板状部材差込み部が設けられたハウジングと、そのハウジング内に配列配置されて設けられる複数のコンタクトと、ハウジングに対して回動可能に設けられて複数のコンタクトの夫々に係合し、配線板状部材が板状部材差込み部を通じてハウジングに差し込まれたもとで回動操作されるとき、複数のコンタクトに配線板状部材に設けられた複数の接続端子部との接続状態をとらせるアクチュエータとを備えて構成され、複数のコンタクトの夫々が、コネクタ装置の低背化及び製造コストの低減を妨げる要因とはならない形状をもって備えられるもとで、複数のコンタクトが配線板状部材に設けられた複数の接続端子部に夫々適正に接続される状態が確実に得られることになるコネクタ装置が得られることになる。
【図面の簡単な説明】
【００２２】
【図１】本発明に係るコネクタ装置の一例を、それに差し込まれるフレキシブル印刷配線基板と共に示す斜視図である。
【図２】図１に示されるフレキシブル印刷配線基板をその接続端子部が設けられた面側から見た斜視図である。
【図３】本発明に係るコネクタ装置の一例に備えられるコンタクトを示す斜視図である。
【図４】本発明に係るコネクタ装置の一例に備えられるコンタクトの製造過程の一例の説明に供される平面図である。
【図５】本発明に係るコネクタ装置の一例を示す平面図である。
【図６】本発明に係るコネクタ装置の一例を示す正面図である。
【図７】本発明に係るコネクタ装置の一例を示す底面図である。
【図８】本発明に係るコネクタ装置の一例を示す背面図である。
【図９】本発明に係るコネクタ装置の一例を示す側面図である。
【図１０】図６における X−X 線断面を示す断面図である。
【図１１】図６におけるXI−XI線断面を示す断面図である。
【図１２】本発明に係るコネクタ装置の一例に備えられるハウジングの説明に供される部分斜視図である。
【図１３】図１に示される本発明に係るコネクタ装置の一例に図１に示されるフレキシブル印刷配線基板が差し込まれた状態を示す斜視図である。
【図１４】図１に示される本発明に係るコネクタ装置の一例に図１に示されるフレキシブル印刷配線基板が差し込まれ、本発明に係るコネクタ装置の一例に備えられたアクチュエータが操作された状態を示す斜視図である。
【図１５】図１に示される本発明に係るコネクタ装置の一例に図１に示されるフレキシブル印刷配線基板が差し込まれ、本発明に係るコネクタ装置の一例に備えられたアクチュエータが操作された状態を示す断面図である。
【図１６】図１に示される本発明に係るコネクタ装置の一例に図１に示されるフレキシブル印刷配線基板が差し込まれ、本発明に係るコネクタ装置の一例に備えられたアクチュエータが操作された状態を示す断面図である。
【発明を実施するための形態】
【００２３】
本発明を実施するための形態は、以下に述べられる本発明についての実施例をもって説明される。
【実施例】
【００２４】
図１は、本発明に係るコネクタ装置の一例を、それに差し込まれる配線板状部材とされるフレキシブル印刷配線基板と共に示す。以下においては、便宜上、図１において上方となる方向を上方もしくは上側といい、図１において下方となる方向を下方もしくは下側という。
【００２５】
図１において、本発明に係るコネクタ装置の一例を成すコネクタ装置１０は、実際の使用時においては、図示が省略されている配線基板に固着される。そして、コネクタ装置１０は、合成樹脂等の絶縁材料によって形成されたハウジング１１を備えており、ハウジング１１は、コネクタ装置１０が配線基板に固着されるとき、その配線基板に固定される。ハウジング１１には、コネクタ装置１０の正面側となる端部に板状部材差込み部１２が設けられており、フレキシブル印刷配線基板１３が、配線板状部材を成すものとして、板状部材差込み部１２を通じて、ハウジング１１に差し込まれる。
【００２６】
板状部材差込み部１２を通じてハウジング１１に差し込まれるフレキシブル印刷配線基板１３は、相互に対向する一対の面１４及び１５を有している。図１において上方に向けられたフレキシブル印刷配線基板１３の面１４は、全体的に絶縁材料によって覆われており、また、図１において下方に向けられたフレキシブル印刷配線基板１３の面１５にあっては、図２に示されるように、その一端部に、複数の接続端子部１６が配列配置されて設けられている。複数の接続端子部１６の夫々は、導電性材料によって短冊状を成すものとされており、図示が省略された、フレキシブル印刷配線基板１３に設けられた印刷配線部に連結されている。フレキシブル印刷配線基板１３の面１５における複数の接続端子部１６が配列配置された一端部以外の部分は、面１４と同様に絶縁材料によって覆われている。
【００２７】
そして、フレキシブル印刷配線基板１３が板状部材差込み部１２を通じてハウジング１１に差し込まれるときには、フレキシブル印刷配線基板１３は、図１に示されるように、面１４が上方に向けられて面１５が下方に向けられた状態におかれ、複数の接続端子部１６が配列配置された面１５の一端部側から板状部材差込み部１２内に入っていく。
【００２８】
コネクタ装置１０のハウジング１１内には、複数のコンタクト１７が配列配置されて設けられている。複数のコンタクト１７は、各々がハウジング１１に対するフレキシブル印刷配線基板１３の差込み及び抜出し方向に沿う方向に伸びるものとされており、ハウジング１１の底板部を成す平板状部１８の内面側に形成された複数の平行溝１９に夫々収められていて、ハウジング１１が配線基板に固定されるとき、その配線基板に設けられた配線部に電気的に連結される。そして、ハウジング１１内に配列配置された複数のコンタクト１７は、フレキシブル印刷配線基板１３が板状部材差込み部１２を通じてハウジング１１に差し込まれたとき、差し込まれたフレキシブル印刷配線基板１３における面１５の一端部に配列配置された複数の接続端子部１６に夫々対応する位置をとるものとされる。
【００２９】
複数のコンタクト１７の夫々は、弾性を有した導電性板材で形成され、図３に示されるように、ハウジング１１の平板状部１８に係合する係合部２０と、ハウジング１１の外部に導出されてハウジング１１が固定される配線基板に設けられた配線部に接続される外部接続部２１と、ハウジング１１に差し込まれたフレキシブル印刷配線基板１３における接続端子部１６に接触する接点部２２とが設けられた、全体として棒状部材を成すものとされている。このようなコンタクト１７は、例えば、金属薄板材料に打抜き加工が施され、その後、打抜き加工により得られたものに対するメッキ処理が施されて製造される。
【００３０】
コンタクト１７の製造過程においては、例えば、金属薄板材料に打抜き加工が施されることにより、図４に示されるような、板状キャリア２５によって複数（図４に示される例においては４個）のコンタクト１７となるべき部分１７’が個別に保持された平板状部材２６が形成される。その後、平板状部材２６における少なくとも複数の部分１７’にメッキ処理が施された後に、複数の部分１７’が板状キャリア２５から切り離されて、あるいは、複数の部分１７’が板状キャリア２５から切り離された後に、各部分１７’にメッキ処理が施されて、コンタクト１７が得られる。斯かる際、コンタクト１７が全体として棒状部材を成すものとされていることにより、コンタクト１７となるべき部分１７’を形成する打抜き加工に要される金属薄板材料の面積が比較的小で済むことになり、さらに、コンタクト１７となるべき部分１７’に対するメッキ処理に要される費用が低減される。それにより、コネクタ装置１０の製造コストの低減が図られることになる。
【００３１】
図５（平面図），図６（正面図），図７底面図），図８（背面図）及び図９（側面図）は、コネクタ装置１０を単独で示す。
【００３２】
図５〜図９において、ハウジング１１は、その底板部を成す平板状部１８に配列配置された複数のコンタクト１７に対向する位置に配された平板状を成す可動部３０を有している。図６における X−X 線断面を示す図１０及び図６におけるXI−XI線断面を示す図１１にも明瞭に示されるように、可動部３０は、ハウジング１１に設けられた板状部材差込み部１２側、即ち、コネクタ装置１０の正面側の端縁部分を形成していて、板状部材差込み部１２を通じてハウジング１１に差し込まれたフレキシブル印刷配線基板１３の面１４に当接する状態をとる押圧部分３１と、後述されるアクチュエータ４０に係合する作動部分３２とが設けられている。作動部分３２は、複数のコンタクト１７に夫々対向する位置に配されてコネクタ装置１０の背面側に突出する複数の突出部を形成している。
【００３３】
そして、ハウジング１１が有する可動部３０は、図１０及び図１１に示されるように、ハウジング１１内に設けられた連結部３３を介してハウジング１１の底板部をなす平板状部１８に連結されている。それにより、可動部３０は、連結部３３により、平板状部１８に対向する位置において連結部３３を支点部として揺動可能に支持されていることになる。ハウジング１１の一部分を示す図１２に示されるように、ハウジング１１内に設けられて可動部３０を支持する連結部３３は、複数のコンタクト１７が夫々収められる複数の平行溝１９の配列方向、即ち、複数のコンタクト１７の配列方向に沿って複数個配列されるものとして形成されている。
【００３４】
また、ハウジング１１には、アクチュエータ４０が、ハウジング１１に対して回動可能なものとして備えられている。アクチュエータ４０は、ハウジング１１における複数のコンタクト１７の配列方向に伸びる細長い形状をしており、コネクタ装置１０の背面側の部分に配されている。
【００３５】
アクチュエータ４０は、例えば、図１，図５，図６及び図８〜図１１に示されるような、ハウジング１１に対して起き上がった位置（コネクタ装置１０が固着された配線基板に対して起き上がった位置）となる第１の静止位置と、後述される図１４〜図１６に示されるような、ハウジング１１に対して伏した位置（コネクタ装置１０が固着された配線基板に対して伏した位置）となる第２の静止位置とをとる。そして、アクチュエータ４０に回動操作が加えられるとき、アクチュエータ４０が、第１の静止位置から第２の静止位置への移行、あるいは、第２の静止位置から第１の静止位置への移行を行うものとされる。
【００３６】
アクチュエータ４０には、図１０及び後述される図１５に示されるような、ハウジング１１が有する可動部３０に設けられた複数の作動部分３２に夫々係合する複数のカム４１を形成するカム部が設けられている。複数のカム４１の各々は、図１０及び図１５に示されるように、断面形状が楕円状とされており、従って、対向端面部間の差渡し寸法が極大となる極大寸法部を有していて、アクチュエータ４０の回動位置の変化に伴って極大寸法部を変位させるものとされている。そして、複数のカム４１の夫々は、複数のコンタクト１７のうちの対応するものにおける外部接続部２１の近傍部分とハウジング１１が有する可動部３０に設けられた作動部分３２とに挟まれた位置に配されていて、アクチュエータ４０の回動に応じて、ハウジング１１が有する可動部３０に設けられた作動部分３２に係合する状態をとる。
【００３７】
アクチュエータ４０が、図１，図５，図６及び図８〜図１１に示されるような第１の静止位置をとるときには、アクチュエータ４０に設けられた複数のカム４１を形成するカム部は、ハウジング１１が有する可動部３０に設けられた作動部分３２には係合せず、それにより、ハウジング１１が有する可動部３０は変位を生じていない状態におかれる。それに対して、アクチュエータ４０が、図１４〜図１６に示されるような第２の静止位置をとるときには、アクチュエータ４０に設けられた複数のカム４１を形成するカム部は、各カムの極大寸法部をハウジング１１が有する可動部３０に設けられた作動部分３２に係合させ、それにより、ハウジング１１が有する可動部３０が変位を生じた状態におかれる。斯かる際におけるハウジング１１が有する可動部３０の変位は、可動部３０における押圧部分３１に複数のコンタクト１７に向かう方向の変位を生じさせるものとされる。
【００３８】
アクチュエータ４０が、第１の静止位置から第２の静止位置への回動を生じるときには、アクチュエータ４０に設けられた複数のカム４１がハウジング１１が有する可動部３０に設けられた複数の作動部分３２に係合しない状態から夫々係合する状態に移行し、それにより、ハウジング１１が有する可動部３０が、複数のコンタクト１７から遠ざかった位置から複数のコンタクト１７に近付く方向に移動せしめられる。その際、フレキシブル印刷配線基板１３が板状部材差込み部１２を通じてハウジング１１に差し込まれている場合には、ハウジング１１が有する可動部３０に設けられた押圧部分３１が、フレキシブル印刷配線基板１３の面１４に当接してフレキシブル印刷配線基板１３を複数のコンタクト１７に向けて押圧し、それにより、複数のコンタクト１７の夫々に設けられた接点部２２が、フレキシブル印刷配線基板１３の面１５の一端部に配列配置された複数の接続端子部１６のうちの対応するものに押圧接触する。
【００３９】
また、アクチュエータ４０が、第２の静止位置から第１の静止位置への回動を生じるときには、アクチュエータ４０に設けられた複数のカム４１がハウジング１１が有する可動部３０に設けられた複数の作動部分３２に夫々係合した状態から係合しない状態に移行し、それにより、ハウジング１１が有する可動部３０が、複数の連結部３３の復元弾性力により、複数のコンタクト１７に近付いた位置から複数のコンタクト１７から遠ざかる方向に移動せしめられる。その際、フレキシブル印刷配線基板１３が板状部材差込み部１２を通じてハウジング１１に差し込まれている場合には、ハウジング１１が有する可動部３０に設けられた押圧部分３１が、フレキシブル印刷配線基板１３の面１４に当接してフレキシブル印刷配線基板１３を複数のコンタクト１７に向けて押圧する状態を解除し、それにより、複数のコンタクト１７の夫々に設けられた接点部２２が、フレキシブル印刷配線基板１３の面１５の一端部に配列配置された複数の接続端子部１６のうちの対応するものに対する押圧接触を解除し得る状態におかれる。
【００４０】
このようなもとで、図１３に示されるように、アクチュエータ４０が第１の静止位置をとるもとで、フレキシブル印刷配線基板１３が、面１４が上方に向けられて面１５が下方に向けられた状態をもって、ハウジング１１に板状部材差込み部１２を通じて差し込まれ、続いて、図１４に示されるように、アクチュエータ４０が、それに対する回動操作により、第１の静止位置から第２の静止位置へと回動せしめられると、図１５に示されるように、アクチュエータ４０に設けられた複数のカム４１が、各々の極大寸法部をもって、ハウジング１１が有する可動部３０に設けられた複数の作動部分３２に夫々係合する。それに応じて、ハウジング１１が有する可動部３０が、複数のコンタクト１７から遠ざかった位置から複数のコンタクト１７に近付く方向に移動せしめられ、図１５及び図１６に示されるように、可動部３０に設けられた押圧部分３１が、フレキシブル印刷配線基板１３の面１４に当接してフレキシブル印刷配線基板１３を複数のコンタクト１７に向けて押圧し、それにより、複数のコンタクト１７の夫々に設けられた接点部２２が、フレキシブル印刷配線基板１３の面１５の一端部に配列配置された複数の接続端子部１６のうちの対応するものに押圧接触する。
【００４１】
その結果、複数のコンタクト１７が、フレキシブル印刷配線基板１３における複数の接続端子部１６に夫々電気的に接続され、フレキシブル印刷配線基板１３における複数の接続端子部１６が、複数のコンタクト１７を介して、ハウジング１１が固定された配線基板に設けられた配線部に電気的に連結される。
【００４２】
その後、必要に応じて、第２の静止位置をとるアクチュエータ４０が、それに対する回動操作により、第２の静止位置から第１の静止位置へと回動せしめられると、アクチュエータ４０に設けられた複数のカム４１が、ハウジング１１が有する可動部３０に設けられた複数の作動部分３２に夫々係合しない状態におかれる。それに応じて、ハウジング１１が有する可動部３０が、複数のコンタクト１７に近付いた位置から複数のコンタクト１７から遠ざかる方向に移動せしめられ、可動部３０に設けられた押圧部分３１が、フレキシブル印刷配線基板１３の面１４に当接してフレキシブル印刷配線基板１３を複数のコンタクト１７に向けて押圧する状態を解除し、それにより、複数のコンタクト１７の夫々に設けられた接点部２２が、フレキシブル印刷配線基板１３の面１５の一端部に配列配置された複数の接続端子部１６のうちの対応するものに対する押圧接触を解除し得る状態におかれる。
【００４３】
その結果、複数のコンタクト１７が、フレキシブル印刷配線基板１３における複数の接続端子部１６に夫々電気的に接続された状態を解除することができるものとされ、フレキシブル印刷配線基板１３における複数の接続端子部１６が、ハウジング１１が固定された配線基板に設けられた配線部との電気的連結を断つことができるものとされる。
【００４４】
上述のような、コネクタ装置１０においては、ハウジング１１が、ハウジング１１内に配列配置された複数のコンタクト１７に対向する位置に配された可動部３０を有していて、ハウジング１１に板状部材差込み部１２を通じてフレキシブル印刷配線基板１３が差し込まれたもとで、第１の静止位置から第２の静止位置へと回動するアクチュエータ４０によってハウジング１１が有する可動部３０が複数のコンタクト１７に近付く方向に移動せしめられるとき、ハウジング１１に差し込まれたフレキシブル印刷配線基板１３が、ハウジング１１が有する可動部３０によって複数のコンタクト１７に向けて押圧され、それにより、複数のコンタクト１７の夫々に設けられた接点部２２が、フレキシブル印刷配線基板１３に配列配置された複数の接続端子部１６のうちの対応するものに押圧接触するものとされるので、複数のコンタクト１７がフレキシブル印刷配線基板１３に設けられた複数の接続端子部１６に夫々適正に接続される状態が確実に得られる。
【００４５】
しかも、ハウジング１１内に配列配置された複数のコンタクト１７の各々は、ハウジング１１に係合する係合部２０とハウジング１１の外部に導出される外部接続部２１とフレキシブル印刷配線基板１３に配列配置された複数の接続端子部１６のうちの対応するものに接触する接点部２２とが設けられた棒状部材を成しているので、ハウジング１１が有する可動部３０に対向する方向における寸法が比較的小なるものとされている。各コンタクト１７がハウジング１１が有する可動部３０に対向する方向は、斯かるコンタクト１７を備えたコネクタ装置１０が、例えば、配線基板に固着された場合において当該コネクタ装置１０が配線基板から突出する方向、即ち、配線基板に固着されたコネクタ装置１０の厚み方向となる。従って、各コンタクト１７が、ハウジング１１が有する可動部３０に対向する方向における寸法が比較的小なるものとされていることは、コネクタ装置１０の厚み方向の寸法の低減、換言すれば、コネクタ装置１０の低背化を十分に図ることができることになる。
【００４６】
従って、コネクタ装置１０は、板状部材差込み部１２が設けられたハウジング１１と、そのハウジング１１内に配列配置されて設けられる複数のコンタクト１７と、ハウジング１１に対して回動可能に設けられて複数のコンタクト１７の夫々に係合し、フレキシブル印刷配線基板１３が板状部材差込み部１２を通じてハウジング１１に差し込まれたもとで回動操作されるとき、複数のコンタクト１７にフレキシブル印刷配線基板１３に設けられた複数の接続端子部１６との接続状態をとらせるアクチュエータ４０とを備えて構成され、複数のコンタクト１７の夫々が、コネクタ装置１０の低背化及び製造コストの低減を妨げる要因とはならない形状をもって備えられるもとで、複数のコンタクト１７がフレキシブル印刷配線基板１３に設けられた複数の接続端子部１６に夫々適正に接続される状態が確実に得られるものとされることになる。
【００４７】
なお、上述のコネクタ装置１０においては、アクチュエータ４０がとる第１の静止位置が、ハウジング１１に対して起き上がった位置（コネクタ装置１０が固着された配線基板に対して起き上がった位置）とされ、アクチュエータ４０がとる第２の静止位置が、ハウジング１１に対して伏した位置（コネクタ装置１０が固着された配線基板に対して伏した位置）とされているが、それとは異なり、アクチュエータ４０がとる第１の静止位置を、ハウジング１１に対して伏した位置（コネクタ装置１０が固着された配線基板に対して伏した位置）とし、アクチュエータ４０がとる第２の静止位置を、ハウジング１１に対して起き上がった位置（コネクタ装置１０が固着された配線基板に対して起き上がった位置）とすることも可能であり、その際には、アクチュエータ４０に設けられる複数のカム４１の夫々における極大寸法部の向きが変えられる。
【産業上の利用可能性】
【００４８】
以上のような本発明に係るコネクタ装置は、板状部材差込み部が設けられたハウジングと、そのハウジング内に配列配置されて設けられる複数のコンタクトと、ハウジングに対して回動可能に設けられて複数のコンタクトの夫々に係合し、配線板状部材が板状部材差込み部を通じてハウジングに差し込まれたもとで回動操作されるとき、複数のコンタクトに配線板状部材に設けられた複数の接続端子部との接続状態をとらせるアクチュエータとを備えたコネクタ装置であって、複数のコンタクトの夫々が、コネクタ装置の低背化及び製造コストの低減を妨げる要因とはならない形状をもって備えられるもとで、複数のコンタクトが配線板状部材に設けられた複数の接続端子部に夫々適正に接続される状態が確実に得られるものとして、様々な電子機器等に広く適用され得るものである。
【符号の説明】
【００４９】
１０・・・コネクタ装置，  １１・・・ハウジング，  １２・・・板状部材差込み部，  １３・・・フレキシブル印刷配線基板，  １６・・・接続端子部，  １７・・・コンタクト，  １８・・・（ハウジング１１の）平板状部，  １９・・・平行溝,   ２０・・・係合部，  ２１・・・外部接続部，  ２２・・・接点部，  ３０・・・可動部，  ３１・・・押圧部分，  ３２・・・作動部分，  ３３・・・連結部，  ４０・・・アクチュエータ，  ４１・・・カム
【図１】
2013229148.tif 000003
【図２】
2013229148.tif 000004
【図３】
2013229148.tif 000005
【図４】
2013229148.tif 000006
【図５】
2013229148.tif 000007
【図６】
2013229148.tif 000008
【図７】
2013229148.tif 000009
【図８】
2013229148.tif 000010
【図９】
2013229148.tif 000011
【図１０】
2013229148.tif 000012
【図１１】
2013229148.tif 000013
【図１２】
2013229148.tif 000014
【図１３】
2013229148.tif 000015
【図１４】
2013229148.tif 000016
【図１５】
2013229148.tif 000017
【図１６】
2013229148.tif 000018